(57)【特許請求の範囲】
【請求項１】
サニタリールームの床の敷設領域に敷設される床パンの敷設構造であって、
長さ寸法及び幅寸法が予め規定され、その端縁全域より下方に延びる前垂れを有する複数枚の床パンと、
上記各床パンの端縁の位置に合わせて敷設され、互いに相隣なる床パンの前垂れを接合する支持フレームと、
を備え、
上記各床パンのうちの上記床の敷設領域を超過する部位に敷設される床パンは、その敷設領域に収まるように端縁が切り欠かれており、
上記端縁が切り欠かれた床パンの切り欠き縁には、上記支持フレームに接合される前垂れ状の接合具が取り付けられていることを特徴とする床パンの敷設構造。
【請求項２】
上記互いに相隣なる床パンの端縁及び切り欠き縁の間には、その両床パンの端縁及び切り欠き縁の位置に合わせて当該両床パンの間に敷設される支持フレームを上方から隠蔽する隠蔽カバーが装着されている請求項１に記載の床パンの敷設構造。
【請求項３】
上記互いに相隣なる床パンの端縁の間には、その両床パンの端縁の位置に合わせて当該両床パンの間に敷設される支持フレームを上方から隠蔽する隠蔽カバーが装着されている請求項１に記載の床パンの敷設構造。
【発明の詳細な説明】
【技術分野】
【０００１】
本発明は、浴室の洗い場、洗面所、シャワールームやトイレなどのように水回り設備を内設したサニタリールームの床の敷設領域に敷設される床パンの敷設構造に関し、特に、ユニット化された規格サイズの床の敷設領域とは異なる規格外サイズの床の敷設領域に敷設されるものに係る。
【背景技術】
【０００２】
一般に、浴室の洗い場、洗面所、シャワールームやトイレなどのようなサニタリールームの床は、ユニット化された規格サイズの床パンを敷設することにより構成されている。
このような床パンの敷設構造としては、浴室の洗い場の床の敷設領域に敷設される補強フレームと、上記床の敷設領域に合致する形状の一枚の洗い場パン（床パン）とを備え、床の敷設領域に敷設された補強フレームの上に洗い場パンを敷設するようにしたものが知られている（例えば、特許文献１参照）。
【先行技術文献】
【特許文献】
【０００３】
【特許文献１】特開２００３−１９３５２７号公報
【発明の概要】
【発明が解決しようとする課題】
【０００４】
ところで、ユニット化された規格サイズの床の敷設領域であれば、補強フレーム上に一枚ものの床パンを簡単に敷設することができるものの、規格サイズの床の敷設領域とは異なる規格外サイズの床の敷設領域に床パンを敷設する場合には、一枚ものの床パンによって安価でかつ容易に対応することができない。
つまり、規格外サイズの床の敷設領域では、その規格外サイズの床の敷設領域に合致する形状の床パンをその都度成形型により成形しなければならず、床パンの成形型をその都度要してコストが非常に嵩んでしまう。また、規格サイズを大幅に超える巨大な規格外サイズの床の敷設領域では、一枚ものの床パンではその形状が非常に巨大なものとなり、床パンの搬入性が非常に悪化する。
【０００５】
本発明は、かかる点に鑑みてなされたものであり、その目的とするところは、寸法が予め規定された複数枚の床パンを用いて規格外サイズの床の敷設領域に合致させることで、規格外サイズの床の敷設領域に合致する形状の床パンの成形型を不要にしてコストの低廉化を図ることができるとともに、複数枚に分割された床パンによって搬入性を向上させることができる床パンの敷設構造を提供することにある。
【課題を解決するための手段】
【０００６】
前記目的を達成するため、本発明では、サニタリールームの床の敷設領域に敷設される床パンの敷設構造を前提とする。そして、長さ寸法及び幅寸法が予め規定され、その端縁全域より下方に延びる前垂れを有する複数枚の床パンと、上記各床パンの端縁の位置に合わせて敷設され、互いに相隣なる床パンの前垂れを接合する支持フレームと、を備える。更に、上記各床パンのうちの上記床の敷設領域を超過する部位に敷設される床パンは、その敷設領域に収まるように端縁が切り欠かれており、上記端縁が切り欠かれた床パンの切り欠き縁に、上記支持フレームに接合される前垂れ状の接合具を取り付けている。
【０００７】
この特定事項により、規格サイズの床とは異なる規格外サイズの床の敷設領域に床パンを敷設する場合には、その規格外サイズの床の敷設領域に長さ寸法及び幅寸法が予め規定された複数枚の床パンの端縁の位置に合わせて敷設された支持フレームに、各床パンの互いに隣接する前垂れを接合することによって床パンが敷設される。
このように、単一の成形型により成形された複数枚の床パンを規格外サイズの床の敷設領域に合致させ、その各床パンの端縁の前垂れを支持フレームに接合しているので、規格外サイズの床の敷設領域に合致する形状の床パンをその都度種類の異なる成形型により成形する必要がなく、床パンを成形する際のコストの低廉化を図ることが可能となる。
【０００８】
しかも、寸法が予め規定された複数枚の床パンを床の敷設領域に敷設していることにより、規格サイズを大幅に超える巨大な規格外サイズの床の敷設領域であっても、一枚当たりの床パン自体が予め寸法を規定したコンパクトなものであるため、床パンの搬入が容易に行え、床パンの搬入性を向上させることが可能となる。
更に、上記各床パンのうちの上記床の敷設領域を超過する部位に敷設される床パンは、その敷設領域に収まるように端縁が切り欠かれており、上記端縁が切り欠かれた床パンの切り欠き縁に、上記支持フレームに接合される前垂れ状の接合具を取り付けることで、床の敷設領域に合致するように床パンの端縁を前垂れと共に切り欠いても、支持フレームに接合された接合具によって、当該床パンの切り欠き縁を支持フレームに接合することができる。
【０００９】
また、上記互いに相隣なる床パンの端縁及び切り欠き縁の間に、その両床パンの端縁及び切り欠き縁の位置に合わせて当該両床パンの間に敷設される支持フレームを上方から隠蔽する隠蔽カバーを装着することが好ましい。この場合には、支持フレーム、並びに床パンの端縁の前垂れ及び切り欠き縁の接合具が、隠蔽カバーによって隠蔽され、各床パンの端縁と切り欠き縁とのつなぎ目を見栄えよく隠すことができる。
【００１１】
更に、上記互いに相隣なる床パンの端縁の間に、その両床パンの端縁の位置に合わせて当該両床パンの間に敷設される支持フレームを上方から隠蔽する隠蔽カバーを装着することが好ましい。この場合には、支持フレーム及びこの支持フレームに接合された各床パンの前垂れが隠蔽カバーによって隠蔽され、床パン同士のつなぎ目を見栄えよく隠すことができる。
【発明の効果】
【００１２】
以上、要するに、単一種類の成形型により成形された複数枚の床パンを規格外サイズの床の敷設領域に合致させることで、規格外サイズの床の敷設領域に合致する形状の床パンをその都度種類の異なる成形型により成形する無駄をなくして床パン成形時のコストの低廉化を図ることができる。しかも、規格サイズを大幅に超える巨大な規格外サイズの床の敷設領域であっても、一枚当たりの寸法を予め規定したコンパクトな床パンによって床パンの搬入性を向上させることができる。
【図面の簡単な説明】
【００１３】
【図１】本発明の第１の実施の形態に係る床パンの敷設構造に用いられる支持フレームを敷設した状態での洗面室の斜視図である。
【図２】本発明の第１の実施の形態に係る床パンの敷設構造を示す平面図である。
【図３】図２のＡ−Ａ線における断面図である。
【図４】本発明の第２の実施の形態に係る床パンの敷設構造を示す平面図である。
【図５】図４のＢ−Ｂ線における断面図である。
【図６】本発明の変形例に係る床パンの敷設構造を示す平面図である。
【図７】本発明のその他の変形例に係る床パンの敷設構造を示す平面図である。
【発明を実施するための形態】
【００１４】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１５】
図１及び図２において、１は本発明の第１の実施の形態に係る床パンの敷設構造が適用されるサニタリールームとしての洗面室であって、この洗面室１の床２の敷設領域は、規格サイズの床の敷設領域とは異なる規格外サイズのものとされている。
【００１６】
上記床パンの敷設構造としては、長さ寸法及び幅寸法が予め規定された長方形状を呈し、成形型により予め形成された３枚の床パン３，…（図２に表れる）と、上記各床パン３の端縁の位置に合わせて床２の敷設領域に敷設された複数の支持フレーム３２，…（図１に表れる）とを備えている。
【００１７】
上記各床パン３は、ＦＲＰ（繊維強化プラスチック）等の合成樹脂材により成形され、その長辺同士が向き合うように３つ並べて敷設されるようになっている。そして、図３に示すように、各床パン３には、その端縁全域より一体的に下方に垂下してから外方へ水平に延びる前垂れ３０が形成されている。この場合、各床パン３は、短辺が長辺の半分の寸法となるように成形されている。
【００１８】
また、上記各支持フレーム３２は、洗面室１の床２の敷設領域の周縁に敷設されていると共に、互いに相隣なる各床パン３の端縁の間に敷設されている。この各床パン３の端縁の間に敷設された各支持フレーム３２の両端は、洗面室１の床２の敷設領域の周縁に敷設された各支持フレーム３２に対しそれぞれ接合されている。
【００１９】
そして、上記各支持フレーム３２は、その一側及び他側にそれぞれフランジ部３３１，３３２を存して下方に大きく凸設された下側支持フレーム材３３と、同様に一側及び他側にそれぞれフランジ部３４１，３４２を存して下方に若干量だけ凸設された上側支持フレーム材３４とを備えている。この下側支持フレーム材３３と上側支持フレーム材３４とは、一側（図３では左側）のフランジ３３１，３４１同士及び他側（図３では右側）のフランジ３３２，３４２同士がそれぞれビス３５，３５により止着されて閉断面を形成している。また、上記下側支持フレーム材３３の中心位置には、ボルト孔３３３が設けられているとともに、その内側面（図３では上側面）に上記ボルト孔３３３とねじ孔を一致させたナット３３４が溶接されて取り付けられている。
【００２０】
また、各支持フレーム３２には、各床パン３の短辺方向両端位置及び長辺方向の略中間位置において床２の敷設領域での敷設高さを確保するためのレベルアジャスター３６，…が取り付けられている。この各レベルアジャスター３６は、床２の敷設領域に接地される薄皿状の接地部３６１と、この接地部の中心に頭部が固設されて脚部が上方に突出するボルト部材３６２と、このボルト部材３６２の脚部先端寄りに螺着された位置決めナット３６３とを備えている。そして、上記各レベルアジャスター３６のボルト部材３６２の脚部先端は、上記下側支持フレーム材３３のボルト孔３３３を介してナット３３４に螺着されている。この場合、各支持フレーム３２は、下側支持フレーム材３３のボルト孔３３３を介してナット３３４に螺着された際に、各レベルアジャスター３６のボルト部材３６２の脚部の位置決めナット３６３が下側支持フレーム材３３の外側面（下面）と当接することによって、床２の敷設領域での敷設高さが決められる。
【００２１】
そして、上記互いに相隣なる床パン３，３の前垂れ３０，３０は、上記各支持フレーム３２の上側支持フレーム材３４に対しビス３７，３７により床パン３の周方向所定間隔おきに止着されている。また、上記床２の敷設領域の周縁に敷設された各支持フレーム３２の上側支持フレーム材３４には、その床２の敷設領域の周縁に端縁が位置する各床パン３，…の前垂れ３０がそれぞれ周方向所定間隔おきにビス（図示せず）により止着されている。この場合、各支持フレーム３２に対し止着された、互いに相隣なる床パン３，３の端縁同士の間隔は、ほぼ１００ｍｍに設定されている。
【００２２】
また、上記互いに相隣なる床パン３，３の端縁の間には、その床パン３，３の間に敷設された支持フレーム３２を上方から隠蔽する隠蔽カバー３８，…が装着されている。この各隠蔽カバー３８は、例えばＦＲＰ等の合成樹脂材により成形され、互いに相隣なる床パン３，３の端縁同士の間にほぼ隙間なく収容される。この場合、隠蔽カバー３８としては、合成樹脂材により成形されるもののみではなく、支持フレームが排水樋として利用されるときには、ＳＵＳ（Ｓｔａｉｎｌｅｓｓ  Ｕｓｅｄ  Ｓｔｅｅｌ）などからなるグレーチングが適用される。そして、このようなグレーチングも、互いに相隣なる床パン３，３の端縁同士の間にほぼ隙間なく収容される。
そして、上記各隠蔽カバー３８は、上記各支持フレーム３２の上側支持フレーム材３４に対し下面を当接させる当接片３８１を備え、この当接片３８１の当接により、各隠蔽カバー３８の上面を各床パン３の上面と略一致する高さとなるようにしている。また、床２の敷設領域の周縁に端縁が位置する各床パン３と洗面室１の壁との間にも、その床２の敷設領域の周縁に敷設された各支持フレーム３２を上方から隠蔽する隠蔽カバー３８，…が装着されている。
【００２３】
したがって、上記第１の実施の形態では、規格サイズの床の敷設領域とは異なる規格外サイズの床２の敷設領域に床パンを敷設する場合には、その規格外サイズの床２の敷設領域に、長さ寸法及び幅寸法が予め規定された３枚の床パン３，…の端縁の位置に合わせて複数の支持フレーム３２，…を敷設する。具体的には、各支持フレーム３２を、洗面室１の床２の敷設領域の周縁に敷設すると共に、互いに相隣なる各床パン３の端縁の間に敷設する。このとき、各支持フレーム３２は、各レベルアジャスター３６により床２の敷設領域での敷設高さが決められている。そして、互いに相隣なる床パン３，３の前垂れ３０，３０をその互いに相隣なる床パン３，３の端縁同士の間に敷設された各支持フレーム３２の上側支持フレーム材３４に対しビス３７，３７によりそれぞれ止着するとともに、床２の敷設領域の周縁に端縁が位置する各床パン３，…の前垂れ３０をその床２の敷設領域の周縁に敷設された各支持フレーム３２の上側支持フレーム材３４にビスにより止着することによって、床パンの敷設を行う。
このように、単一の成形型により成形された３枚の床パン３，…を規格外サイズの床２の敷設領域に合致させ、その各床パン３の端縁の前垂れ３０，…を各支持フレーム３２に接合しているので、規格外サイズの床２の敷設領域に合致する形状の床パンをその都度種類の異なる成形型により成形する必要がなく、床パン３を成形する際のコストの低廉化を図ることができる。
【００２４】
しかも、長さ寸法及び幅寸法が予め規定された複数枚の床パン３が床２の敷設領域に敷設されていることにより、規格サイズを大幅に超える巨大な規格外サイズの床の敷設領域であっても、一枚当たりの床パン３自体が予め寸法を規定したコンパクトなものであるため、床パン３の搬入が容易に行え、床パン３の搬入性を向上させることができる。
【００２５】
また、互いに相隣なる床パン３，３の端縁の間に、各支持フレーム３２を上方から隠蔽する隠蔽カバー３８，…が装着されているので、各支持フレーム３２及びこの支持フレーム３２にビス３７，３７止めされた各床パン３の前垂れ３０が隠蔽カバー３８によって隠蔽され、床パン３，３同士のつなぎ目を見栄えよく隠すことができる。
【００２６】
次に、本発明の第２の実施の形態を図４及び図５に基づいて説明する。
この実施の形態では、互いに相隣なる床パンの端縁のうちの一方の端縁を切り欠いている。なお、端縁が切り欠かれた床パンを除くその他の構成は、上記第１の実施の形態と同じであり、同一部分については同じ符号を付して、その詳細な説明は省略する。
【００２７】
図４において、洗面室１の床４の敷設領域は、規格サイズの床の敷設領域とは異なる規格外サイズのものであるが、上記第１の実施の形態で述べた床１よりも若干小さな面積となっているため、この床４の敷設領域も、上記第１の実施の形態で述べた床２の敷設領域よりも若干小さくなっている。このため、本実施の形態では、各床パン３のうちの上記床４の敷設領域を超過する部位に敷設される１つの床パン３（図４では下側の床パン３）は、その敷設領域に収まるように長辺側の端縁が切り欠かれている。
【００２８】
そして、図５に示すように、上記端縁が切り欠かれた床パン３の切り欠き縁３１は、中央の床パン３の端縁側に位置している。また、上記床パン３の切り欠き縁３１には、前垂れ３０状の接合具としての接合金具５１が取り付けられている。この接合金具５１は、上記床パン３の切り欠き縁３１の下面に貼着された合板等からなる固着片５２の下面に対し基端部（図では左端部）がビス５３により止着され、先端側が上記床パン３の切り欠き縁３１の下方付近から下方に垂下されてから支持フレーム３２の上側支持フレーム材３４の上面に沿って外方へ水平に延びている。この上側支持フレーム材３４の上面に沿って外方へ水平に延びる接合金具５１の先端は、当該上側支持フレーム材３４の上面にビス５４により止着されている。
【００２９】
また、互いに相隣なる、中央の床パン３の端縁と床パン３の切り欠き縁３１との間には、その床パン３，３の間に敷設された支持フレーム３２を上方から隠蔽する隠蔽カバー３８が装着されている。この隠蔽カバー３８は、互いに相隣なる床パン３，３の端縁及び切り欠き縁３１の間にほぼ隙間なく収容される。
【００３０】
したがって、上記第２の実施の形態では、床４の敷設領域に合致するように床パン３の長辺側の端縁を前垂れ３０と共に切り欠いても、その床パン３の切り欠き縁３１に取り付けた接合金具５１によって、当該床パン３の切り欠き縁３１を支持フレーム３２の上側支持フレーム材３４にビス５４止めすることができる。
【００３１】
更に、互いに相隣なる、中央の床パン３の端縁と床パン３の切り欠き縁３１との間に隠蔽カバー３８が装着されているので、支持フレーム３２、及び互いに相隣なる，中央の床パン３の端縁の前垂れ３０及び床パン３の切り欠き縁３１の接合金具５１が、隠蔽カバー３８によって隠蔽され、中央の床パン３の端縁と床パン３の切り欠き縁３１とのつなぎ目を見栄えよく隠すことができる。
【００３２】
なお、本発明は、上記各実施の形態に限定されるものではなく、その他種々の変形例を包含している。例えば、上記各実施の形態では、規格外サイズの床２，４の敷設領域に３枚の床パン３をその長辺同士が向き合うように３つ並べて敷設したが、図６に示すように、規格外サイズの床の敷設領域に３枚の床パン３がその短辺同士を向き合わせるように３つ並べて敷設されていてもよい。この場合、各床パン３のうちの床の敷設領域を超過する部位に敷設される１つの床パン３（図６では下側の床パン３）は、その敷設領域に収まるように短辺側の端縁が切り欠かれている。このとき、上記１つの床パン３の切り欠き縁には、接合金具（図示せず）が取り付けられ、中央の床パン３の端縁の前垂れと上記１つの床パン３の切り欠き縁の接合金具とが、その床パン３，３の間に敷設された支持フレーム３２の上側支持フレーム材３４に対しそれぞれビス止めされる。
【００３３】
また、図７に示すように、規格外サイズの床の敷設領域に、３枚の床パン３が、長辺同士を向き合わせるように２つ並べられ、その２つ並べた床パン３，３の短辺に対し長辺を向き合わせた１つの床パン３が敷設されていてもよい。この場合、長辺同士が向き合うように２つ並べた床パン３，３のうちの一方の床パン３（図７では下側の床パン３）は、その敷設領域に収まるように長辺側の端縁が切り欠かれ、この２つ並べた床パン３，３の短辺に対し長辺を向き合わせた１つの床パン３は、その敷設領域に収まるように短辺側の端縁が切り欠かれている。このとき、長辺が切り欠かれた床パン３の切り欠き縁には、接合金具（図示せず）が取り付けられ、２つ並べた床パン３，３のうちの他方の床パン３の端縁の前垂れと一方の床パン３の切り欠き縁の接合金具とが、当該床パン３，３の間に敷設された支持フレーム３２の上側支持フレーム材３４に対しそれぞれビス止めされる。また、短辺が切り欠かれた床パン３の切り欠き縁には、接合金具（図示せず）が取り付けられ、床の敷設領域の周縁に敷設された支持フレーム３２の上側支持フレーム材３４に対しビス止めされる。
【００３４】
また、上記各実施の形態では、床２，４の敷設領域に３枚の床パン３，…を敷設した場合について述べたが、床の敷設領域に応じて２枚又は４枚以上の床パンが敷設される場合にも適用できるのはいうまでもない。
【００３５】
また、上記各実施の形態では、洗面室の床の敷設領域に床パンを敷設する場合について述べたが、これに限定されるものではなく、浴室の洗い場、シャワールームやトイレなどのように水回り設備を内設したサニタリールームの床の敷設領域であればどこでもよい。
【００３６】
更に、上記各実施の形態では、互いに相隣なる床パン３，３の端縁の間又は床パン３の端縁及び切り欠き縁３１の間に隠蔽カバー３８を装着したが、隠蔽カバーの端縁と床パンの端縁又は切り欠き縁との間の隙間にシール材を介在させて当該隙間のシール性が高められるようにしてもよい。
【符号の説明】
【００３７】
１      洗面室（サニタリールーム）
２      床
３      床パン
３０    前垂れ
３１    切り欠き縁
３２    支持フレーム
３８    隠蔽カバー
５１    接合金具（接合具）
【図１】
0005541442.tif 000002
【図２】
0005541442.tif 000003
【図３】
0005541442.tif 000004
【図４】
0005541442.tif 000005
【図５】
0005541442.tif 000006
【図６】
0005541442.tif 000007
【図７】
0005541442.tif 000008